(57)【要約】【課題】効率的に医療器材の準備作業を行うための医療器材準備支援装置を提供する。【解決手段】各医療行為に使用する医療器材のピッキング作業を支援するための医療器材準備支援装置１００において、器材属性記憶部１０２は、医療器材の医療器材識別子と医療器材の画像を格納する。類似器材記憶部１０４は相互に類似する医療器材の情報を格納する。取扱器材リスト取得部は、医療行為に用いられる医療器材のリストである取扱器材リストを取得する。指示受付部は、取り扱い器材リストに含まれる医療器材のうちの一つを指定するユーザの指定入力を受け付ける。類似器材取得部は、ユーザが指定した指定医療器材と類似する医療器材の医療器材識別子を類似器材記憶部１０４から取得する。画面生成部１３２は、指定医療器材の画像と、類似する医療器材の画像を器材属性記憶部１０２から読み出し、これらの画像を並べて表示するための画面を生成する。【選択図】図１
2012215990.tif 000002
【特許請求の範囲】
【請求項１】
各医療行為に使用する医療器材のピッキング作業を支援するための医療器材準備支援装置であって、
少なくとも医療器材の医療器材識別子および医療器材の画像を格納する器材属性記憶部と、
相互に類似する医療器材の医療器材識別子を互いに関連づけて格納する類似器材記憶部と、
医療行為に用いられる医療器材のリストである取扱器材リストを取得する取扱器材リスト取得部と、
前記取扱器材リストに含まれる医療器材のうちの一つを指定するユーザの指定入力を受け付ける指示受付部と、
医療器材について、その医療器材と類似する医療器材の医療器材識別子を前記類似器材記憶部から取得する類似器材取得部と、
前記指示受付部が指定入力を受け付けた指定医療器材の画像と、その指定医療器材と類似する医療器材の画像とを前記器材属性記憶部から取得し、取得した画像を並べて表示する類似器材一覧画面を生成する画面生成部と、
を備えることを特徴とする医療器材準備支援装置。
【請求項２】
前記器材属性記憶部は、各医療器材の寸法を示す寸法情報をさらに格納し、
前記画面生成部は、前記類似器材一覧画面に表示する各医療器材の画像の寸法の比が、前記器材属性記憶部から読み取った実際の寸法の比を反映するように前記類似器材一覧画面を生成することを特徴とする請求項１に記載の医療器材準備支援装置。
【請求項３】
前記画面生成部は、前記指定医療器材に類似する医療器材が複数ある場合に、類似する医療器材の画像をそれら類似する医療器材の寸法の順に画面に並べて類似器材一覧画面を生成することを特徴とする請求項２に記載の医療器材準備支援装置。
【請求項４】
前記器材属性記憶部はさらに、各医療器材を見分けるポイントとなる特徴点を記憶し、
前記画面生成部は、前記指示受付部が、ユーザから前記類似器材一覧画面に表示された医療器材の一つを指定する入力を受け付けた場合に、指定された医療器材の画像を一覧表示におけるその医療器材の画像よりも大きく表示するとともに、その特徴点を強調表示する画面を作成することを特徴とする請求項２または３に記載の医療器材準備支援装置。
【請求項５】
前記取扱器材リストに含まれる各医療器材について、ユーザがピッキング済であるか否かを示すステータス情報を格納する取扱器材記憶部と、
前記取扱器材記憶部を参照して、ピッキング済の医療器材を表示対象から除外する類似器材限定部と、をさらに備え、
前記画面生成部は、ピッキング済の医療器材の画像を除いて類似器材一覧画面を生成することを特徴とする請求項１から４のいずれかに記載の医療器材準備支援装置。
【請求項６】
前記取扱器材リスト取得部が、複数の医療行為それぞれの取扱器材リストを取得した場合において、
ピッキング作業中である一の取扱器材リストに含まれる医療器材を、その取扱器材リストに含まれる他の医療器材に類似する医療器材として類似器材一覧画面に表示する際に、その他の取扱器材リストに含まれる医療器材と区別可能な態様で表示させることを特徴とする請求項１から５のいずれかに記載の医療器材準備支援装置。
【発明の詳細な説明】
【技術分野】
【０００１】
本発明は物品管理技術に関し、特に、医療器材の準備作業を支援する医療器材準備支援装置に関する。
【背景技術】
【０００２】
手術や処置などの医療行為には、複数の医療器材が用いられる。用いられる医療器材の組み合わせは、医療行為の種類等によって異なる。
このような医療器材の準備作業を確実かつ効率よく行うために、医療器材をデータベース化して管理する方法が知られている。
【０００３】
例えば、特許文献１には、医療行為に使用される医療器具のリストを格納したデータベースを記憶する記憶装置が開示されている。
【０００４】
また、特許文献２には、複数の部品を組み合わせる器具の組み立て作業において適用できる組み立て作業支援システムが示されている。
この組み立て作業支援システムにおいては、第１の部品と第２の部品の接続部分にそれぞれ取り付けられたＩＣタグを一括してよみとり、あらかじめ記録されたＩＣタグの対応関係を示す情報に基づいて、第１の部品と第２の部品の接続正否を判定する。
【０００５】
また、特許文献３には、医療器材の準備作業を効率よく行わせる医療行為支援システムが示されている。
この医療行為支援システムにおいては、術式と器材の対応テーブルが記憶部に記憶されており、補助者が保持する携帯端末が、補助者情報管理サーバから送信される医療器材リスト情報を受信すると、表示部に、用意するべき医療器材のリストを表示する。
【０００６】
また、医療行為における薬剤等の誤用を防ぐための技術が知られている。
例えば、特許文献４には、医療過誤防止システムが示されている。
この医療過誤防止システムにおいては、薬剤選択入力と同時に、誤った選択をしそうになった場合にはその旨も記録し、そのようなケースが過去にある薬剤等については、次回の利用時に、警告を表示させる。
【先行技術文献】
【特許文献】
【０００７】
【特許文献１】特開２００２−３６９７８７号公報
【特許文献２】特開２００９−１５７４１３号公報
【特許文献３】特開２００９−６４１３１号公報
【特許文献４】特開２００７−１１０１０７号公報
【発明の概要】
【発明が解決しようとする課題】
【０００８】
病院などの医療施設においては、用途に応じて様々な種類の医療器材が用いられる。医療器材のうちには、先端の形が少し違ったり、大きさのみが違ったりと、一見しただけでは互いに見分けがつきにくい器材がある。
医療器材にその名称がタグや包装などの形で付されていない状態で医療器材をピッキングする際、特に新人スタッフ等の熟練していない作業者が作業する場合には、目の前にある医療器材の名称がわからず、確認のために余分な時間がかかってしまう。さらに、似ている他の医療器材と勘違いして取り違えてしまう可能性もある。
【０００９】
本発明はこうした課題に鑑みてなされたものであり、その目的は、効率的に医療器材の準備作業を行うための医療器材準備支援装置を提供することにある。
【課題を解決するための手段】
【００１０】
上記課題を解決するために、本発明のある態様の医療器材準備支援装置は、各医療行為に使用する医療器材のピッキング作業を支援するための医療器材準備支援装置であって、少なくとも医療器材の医療器材識別子および医療器材の画像を格納する器材属性記憶部と、相互に類似する医療器材の医療器材識別子を互いに関連づけて格納する類似器材記憶部と、医療行為に用いられる医療器材のリストである取扱器材リストを取得する取扱器材リスト取得部と、取り扱い器材リストに含まれる医療器材のうちの一つを指定するユーザの指定入力を受け付ける指示受付部と、医療器材について、その医療器材と類似する医療器材の医療器材識別子を類似器材記憶部から取得する類似器材取得部と、指示受付部が指定入力を受け付けた指定医療器材の画像と、その指定医療器材と類似する医療器材の画像とを器材属性記憶部から取得し、取得した画像を並べて表示する類似器材一覧画面を生成する画面生成部と、を備える。
【００１１】
この態様によると、ユーザが指定した医療器材と、その医療器材に類似する医療器材の画像を並べてユーザに提示することができる。
【００１２】
なお、以上の構成要素の任意の組合せ、本発明の表現を方法、装置、システムなどの間で変換したものもまた、本発明の態様として有効である。
【発明の効果】
【００１３】
本発明によれば、効率的に医療器材のピッキング作業を行うための医療器材準備作業支援システムを提供することができる。
【図面の簡単な説明】
【００１４】
【図１】本実施例にかかる医療器材準備支援装置を含む医療業務支援システムの構成を示す図である。
【図２】医療器材準備支援装置のセット器材記憶部に格納されるセット医療器材テーブルの例を示す図である。
【図３】医療器材準備支援装置の類似器材記憶部に格納される類似医療器材テーブルの例を示す図である。
【図４】医療器材準備支援装置の器材属性記憶部に格納される医療器材属性テーブルの例を示す図である。
【図５】医療器材準備支援装置の取扱器材記憶部に格納される取扱医療器材テーブルの例を示す図である。
【図６】医療器材準備支援装置の画面生成部が生成し、表示部に表示される取扱医療器材一覧画面の例を示す図である。
【図７】画面生成部が生成し、表示部に表示される類似器材一覧画面の例を示す図である。
【図８】画面生成部が生成し、表示部に表示される類似器材一覧画面の別の例を示す図である。
【図９】画面生成部が生成し、表示部に表示される類似器材一覧画面のさらに別の例を示す図である。
【図１０】画面生成部が生成し、表示部に表示される類似器材一覧画面のさらに別の例を示す図である。
【図１１】医療器材についての詳細情報を表示する医療器材詳細情報画面の例を示す図である。
【図１２】医療器材準備支援装置において、類似取扱医療器材のリストを取得する処理の手順を示すフローチャートである。
【図１３】医療器材準備支援装置において、ユーザの医療器材のピッキング作業を支援する処理の手順を示すフローチャートである。
【発明を実施するための形態】
【００１５】
はじめに、本実施例の概要を説明する。
医療器材には、使い捨てタイプや、繰り返し可能なタイプなどの様々なものがあるが、繰り返し使用可能な医療器材は、使用後、次に使用する前に、洗浄、消毒、滅菌などのリプロセス処理が必要となる。
【００１６】
医療器材は、手術の術式など医療行為の種類によって、あらかじめ必要な医療器材を取りそろえた医療器材セットを単位として扱われることが多い。
このような医療器材のセットについては、リプロセス処理を経て、再び同じタイプの医療行為に使用するために同じ組み合わせの医療器材のセットとして準備される場合が多い。  あるいは、別の医療器材セットを構成する医療器材として準備されたり、セットを構成しない医療器材として準備されることもある。
いずれの場合も、リプロセス作業の途中や最終工程において、医療器材をひとつひとつ識別してピッキングし、点検して、コンテナ等に入れる作業が必要となる。
【００１７】
各医療器材の名称やＩＤなどを示す識別標識が、貼付、刻印、印刷などの形態、あるいはＲＦＩＤ（Radio Frequency Identification）のような電磁気的タグなどの形態で各医療器材に付されている場合には、ピッキング担当者は識別標識を用いて各医療器材を識別することができる。
しかしながら、このような識別標識が直接付されていない医療器材も多く、この場合ピッキング担当者は目視等により医療器材をひとつひとつ識別してピッキングすることとなる。
【００１８】
本発明の実施例にかかる医療器材準備支援装置は、このような医療器材のピッキング作業を行う際に、まず、ピッキングすべき医療器材のリストをピッキング作業者などのユーザに提示する。作業者は、リストをみながら医療器材をピッキングし、ピッキング済みであることを登録するために医療器材準備支援装置においてピッキングした医療器材を選択入力する。
そうすると本実施例にかかる医療器材準備支援装置は、ユーザが選択入力した医療器材に類似する医療器材のうち、その場にある可能性がある医療器材の画像を並べて表示し、作業者に注意を促す。
【００１９】
この際、類似する医療器材を大きさの順に並べて表示させたり、それぞれの医療器材について、より詳細な情報や拡大画像を含む画面へと切り替え表示可能とすることもできる。
これによりユーザは、ピックアップした医療器材と、類似医療器材とを見比べて確認した上で、ピッキング済みであることを登録したり、取り違えていた場合にはピッキングし直したりすることができる。
【００２０】
以下、図面を参照して、本発明の実施例にかかる医療器材準備支援装置の構成について詳細に説明する。
【００２１】
図１は、本実施例にかかる医療器材準備支援装置１００を含む医療業務支援システム１０の構成を示す図である。
医療業務支援システム１０は、例えば、病院などの医療施設内の中央材料管理室や医療器材のリプロセスセンタなどで、医療器材のリプロセス処理を行う際に、タグ等の識別標識が付されていない状態の医療器材をピッキングする作業を支援するためのシステムである。
【００２２】
医療業務支援システム１０は、医療情報管理サーバ２０と、医療器材準備支援装置１００とを備える。
【００２３】
医療情報管理サーバ２０は、医療施設の各診療部門のシステム（図示せず）において発行されるオーダ情報をデータベース化して管理する。オーダ情報は、医師や看護師などの医療スタッフにより発行される医療業務の内容を特定する情報であり、オーダ情報により、その医療行為で使用する医療器材を特定することができる。
【００２４】
オーダ情報に、その医療行為において使用する医療器材の情報が直接的には含まれない場合であっても、例えば医療行為とその医療行為で用いる医療器材を対応づけて格納する記憶部（図示せず）を参照することにより、各オーダ情報と使用する医療器材の情報とを対応づけることができる。
以下、本明細書においては、「オーダ情報」には、オーダ情報で指定される医療行為において使用する医療器材の情報を含むものとする。
【００２５】
医療情報管理サーバ２０は、手術や処置などの医療行為にかかるオーダ情報を記憶するオーダ記憶部２２と、ネットワークを介して他のサーバ、システム、クライアント端末等とデータを送受信する通信部２４とを備える。
【００２６】
医療器材準備支援装置１００は、オーダ情報等で指定された各医療行為により使用された医療器材を、次回の使用に備えて準備するためのピッキング作業を支援する装置である。
【００２７】
医療器材準備支援装置１００と医療情報管理サーバ２０とは、イントラネット、ローカルエリアネットワーク（ＬＡＮ）、広域ネットワーク（ＷＡＮ）、仮想プライベートネットワーク（ＶＰＮ）、インターネットなどのネットワーク６０により、通信可能に接続される。
【００２８】
なお、図１においては、一の医療器材準備支援装置１００が示されているが、医療器材準備支援装置１００は、複数備えられてもよい。例えば、作業室ごとに一台備えられてもよく、また各作業者に一台ずつ備えられてもよい。また、医療器材準備支援装置１００は、ピッキング作業者などのユーザが携帯するＰＤＡ（Personal Digital Assistants）やタブレット型端末などの携帯端末として構成され、無線により医療情報管理サーバ２０と通信可能に接続されてもよい。
【００２９】
医療器材準備支援装置１００は、器材属性記憶部１０２、類似器材記憶部１０４、取扱器材記憶部１０６、セット器材記憶部１０８、制御部１１０、類似リスト作成部１２０、画面生成部１３２、および、通信部１３４を備え、操作部３０と、表示部４０とに接続
される。
【００３０】
操作部３０は、スイッチや、キーボード、マウスやトラックボールなどのポインティングデバイス、タッチパネル、マイクロフォンなどで構成され、ユーザによる医療器材準備支援装置１００に対する指示入力のために用いられる。操作部３０は、医療器材準備支援装置１００や表示部４０と一体化された構成であってもよい。
【００３１】
表示部４０は、ピッキングすべき医療器材のリストや、類似する医療器材のリストなどを医療器材の画像とともに表示する。表示部４０は、医療器材準備支援装置１００や操作部３０と一体化された構成であってもよい。
【００３２】
医療器材準備支援装置１００の通信部１３４は、ネットワークを介して他のサーバ、システム、クライアント端末等とデータを送受信する。
【００３３】
セット器材記憶部１０８は、各医療器材セットに含まれる医療器材の情報を格納する。
【００３４】
図２は、セット器材記憶部１０８に格納されるセット医療器材テーブル４００の例を示す図である。セット医療器材テーブル４００は、医療器材セット識別子欄４０２、医療器材識別子欄４０４、名称欄４０６、および、必要数欄４０８を備える。
医療器材セット識別子欄４０２には、各医療器材セットを一意に識別するための医療器材セット識別子が記述される。医療器材識別子欄４０４には、その医療器材セットに含まれる各医療器材を一意に識別するための医療器材識別子が記述される。名称欄４０６には、その医療器材の名称が記述される。必要数欄４０８には、その医療器材セットに含めるべきその医療器材の数が記述される。
【００３５】
類似器材記憶部１０４は、互いに類似する医療器材の医療器材識別子を関連づけて格納する。
【００３６】
図３は、類似器材記憶部１０４に格納される類似医療器材テーブル５００の例を示す図である。類似医療器材テーブル５００は、類似医療器材グループ識別子欄５０２と、類似医療器材識別子欄５０４とを含む。
類似医療器材グループ識別子欄５０２には、互いに類似する医療器材のグループである類似医療器材グループを一意に識別する類似医療器材グループ識別子が記述される。
類似医療器材識別子欄５０４には、それぞれの類似医療器材グループに属する、互いに類似する医療器材の識別子が記述される。
【００３７】
例えば、図３の例において、類似医療器材グループ識別子が「ａａａ」である類似医療器材グループの類似医療器材識別子欄５０４には、「ＰＥ０，ＰＥ１，ＰＥ２」の三つの医療器材識別子が記述されている。すなわち、医療器材識別子が「ＰＥ０」である「ペアン直」、医療器材識別子が「ＰＥ１」である「ペアン小曲」、医療器材識別子が「ＰＥ２」である「ペアン曲」が互いに類似する医療器材であることが記述されている。
【００３８】
類似医療器材グループは、各医療施設などにおいて、定義、変更、追加をすることが可能な設定としてもよい。
これにより、医療器材準備支援装置１００を使用する施設やユーザの事情に合わせて柔軟に類似医療器材グループを設定することができる。例えば、実際に取り違え等が生じたケースにもとづいて類似医療器材グループを作成して、ミスの再発防止を図ることも可能となる。
【００３９】
また、類似医療器材グループは、医療器材メーカ等において新しい医療器材が販売された場合などに、随時、オンラインで更新される設定とされてもよい。例えば、医療器材準備支援装置１００の制御部１１０が、ネットワーク経由でメーカ等から配信される情報を取得して、新たな医療器材についての情報を類似医療器材テーブル５００に追加する構成としてもよい。これにより、ユーザが、新たに購入した医療器材について設定登録する手間を省くことができる。
【００４０】
器材属性記憶部１０２は、各医療器材について、名称、寸法、画像などの属性を、各医療器材を識別する医療器材識別子と関連づけて格納する。
【００４１】
図４は、器材属性記憶部１０２に格納される医療器材属性テーブル３００の例を示す図である。医療器材属性テーブル３００は、医療器材識別子欄３０２、名称欄３０４、寸法欄３０６、画像欄３０８、および、特徴点画像欄３１０を含む。
【００４２】
医療器材識別子欄３０２には、各医療器材を一意に識別するための医療器材識別子が記述される。名称欄３０４には、その医療器材の名称が記述される。寸法欄３０６には、その医療器材の寸法が記述される。寸法は例えば、長さ、幅などの複数の変数で表されてもよい。図５の例においては、医療器材の寸法としてその長さが記述されている。
【００４３】
画像欄３０８には、その医療器材を表す写真などの画像について画像ファイル名や画像コードなどのその画像を特定するための情報や、画像ファイルの格納場所を示すポインタなどの情報が記述される。
特徴点画像欄３１０には、その医療器材を見分けるポイントとなる特徴点を表す写真などの画像について画像ファイル名や画像コードなどのその画像を特定するための情報や、画像ファイルの格納場所を示すポインタなどの情報が記述される。
画像欄３０８や特徴点画像欄３１０においては、複数の画像が指定されてもよい。各画像ファイルは、器材属性記憶部１０２に格納されていてもよく、別の記憶装置に格納されていてもよい。
【００４４】
なお、医療器材属性テーブル３００には、上記の他にも、各医療器材を識別する際に有用な属性情報が含まれてもよい。例えば各医療器材の質量情報が含まれてもよく、各医療器材を見分けるポイントとなる特徴点を文章で説明するための特徴点情報が含まれてもよい。
【００４５】
取扱器材記憶部１０６は、取り扱い対象として指定された医療器材セット（以下、「取扱医療器材セット」ともいう）に含まれる医療器材（以下、「取扱医療器材」ともいう）のそれぞれについて、その医療器材と類似する医療器材の医療器材識別子や、その医療器材の作業ステータスなどの情報を格納する。
ここで、取扱医療器材セットとは、ユーザがピッキング作業をする対象となる医療器材セットであるが、直接の作業対象である医療器材セット以外の医療器材セットが含まれてもよい。例えば、他の作業者が同じ時間帯に同じ作業場所で取り扱う医療器材など、ピッキング作業を行う場所において存在する可能性がある医療器材が含まれてもよい。
【００４６】
図５は、取扱器材記憶部１０６に格納される取扱医療器材テーブル６００の例を示す図である。取扱医療器材テーブル６００は、医療器材セット識別子欄６０２、医療器材識別子欄６０４、必要数欄６０６、準備済数欄６０８、セット内類似医療器材識別子欄６１０、セット外類似医療器材識別子欄６１２、および、準備状況欄６１４を含む。
【００４７】
医療器材セット識別子欄６０２には、取扱医療器材セットの医療器材セット識別子が記述される。医療器材識別子欄６０４には、その取扱医療器材セットに含まれる医療器材の医療器材識別子が記述される。必要数欄６０６には、その取扱医療器材セットに含まれるべきその医療器材の数である必要数が記述される。準備済数欄６０８には、その医療器材のうち、すでにピッキング済みの医療器材の数が記述される。
準備済数欄６０８は初期値は０に設定され、制御部１１０によって更新される。
【００４８】
セット内類似医療器材識別子欄６１０には、類似する医療器材のうち同じセット内に含まれる医療器材の識別子が記述される。セット外類似医療器材識別子欄６１２には、類似する医療器材のうち同じセット内には含まれないが、取扱医療器材に含まれる医療器材が記述される。
準備状況欄６１４には、その医療器材のピッキング作業が完了しているか否かが記述される。図５の例においては、全てピッキング済みである場合には「済」と、未だピッキングが完了していない場合には、「未」と記述されている。
準備状況欄６１４は、制御部１１０によって更新される。
【００４９】
図５の例においては、ＡセットとＢセットの２つのセットを取り扱うケースを想定している。例えば、Ａセットを使用する手術と、Ｂセットを使用する手術とが、ほぼ同じ時刻に終了するため、ＡセットとＢセットがほぼ同時に回収され、中央材料室等に運びこまるような場合である。
【００５０】
なお、リプロセス作業において医療器材を完全にセットごとに分けて取り扱う場合など、セット外類似医療器材と取り違える可能性のない場合には、取扱医療器材テーブル６００においてセット外類似医療器材識別子欄６１２は設けなくともよい。
【００５１】
図１にもどる。制御部１１０は、ユーザからの指示入力等にもとづいて、類似リスト作成部１２０や画面生成部１３２を制御する。
類似リスト作成部１２０は、ユーザが取り扱う医療器材に類似する医療器材のリストを作成して、画面生成部１３２に受け渡す。
画面生成部１３２は、ユーザのピッキング作業を支援するために表示部４０に表示させるための画面を生成する。
【００５２】
制御部１１０は、取扱器材リスト取得部１１２、指示受付部１１４、および、ステータス更新部１１６を含む。
指示受付部１１４は、ユーザが操作部３０を介してリスト作成指示を入力したときに、取扱器材リスト取得部１１２に、取り扱い対象として指定された取扱医療器材セットに含まれる取扱医療器材のリストを取得するよう指示を送信する。
【００５３】
指示受付部１１４は、取扱医療器材セットの指定方法として、直接医療器材セットを指定する入力を受け付けてもよく、間接的に指定する入力を受け付けてもよい。例えば、作業時間を指定する入力を受け付けてもよい。
指示受付部１１４はまた、事前に日時等を指定して入力されたリスト作成指示を受け付けてもよい。この場合、指示受付部１１４は、タイマ制御により、事前に受け付けた指示に従って、指定された時間に、取扱器材リスト取得部１１２に、取扱医療器材セットに含まれる医療器材のリストを取得するよう指示を受け渡す。
【００５４】
取扱器材リスト取得部１１２は、セット器材記憶部１０８から取扱医療器材セットに含まれる医療器材のリストを取得し、類似リスト作成部１２０に受け渡す。
取扱器材リスト取得部１１２は、ユーザが、リストを作成すべき医療器材セットを直接指定して入力した場合には、入力された医療器材セットを取扱医療器材セットとする。
【００５５】
取扱器材リスト取得部１１２は、ユーザによって直接指定された医療器材セットのみでなく、指定された医療器材セットのピッキング作業が予定される時間帯に、同じくピッキング作業が発生することが予定される医療器材セットも含めて、取扱医療器材セットとしてもよい。
【００５６】
この場合、取扱器材リスト取得部１１２は例えば、オーダ記憶部２２から、指定された医療器材セットが含まれるオーダ情報を取得する。そして、そのオーダ情報にかかる医療行為の終了予定時刻と他のオーダ情報にかかる医療行為の終了予定時刻との差を算出し、終了予定時刻の差が所定の時間幅以内にある医療行為のオーダ情報をオーダ記憶部２２から取得する。そして、取扱器材リスト取得部１１２は、取得したオーダ情報にかかる医療行為で用いられる医療器材セットも、取扱医療器材セットとする。ここで、所定の時間幅は、医療行為やリプロセス作業の遅延等によって生じうるピッキング作業開始時間のずれ幅であり、経験的に、医療行為の終了予定時間がそれだけずれていても、ピッキング作業時間が重なる可能性があると考えられる時間幅である。所定の時間幅は、医療施設ごとに設定可能な構成としてもよい。
【００５７】
取扱器材リスト取得部１１２はまた、ユーザが、作業時間を指定して取扱医療器材のリストを作成することを指示入力した場合には、指定された作業時間帯にピッキング作業が発生することが予想される医療器材セットを取扱医療器材セットとしてもよい。
【００５８】
この場合、取扱器材リスト取得部１１２は例えば、手術が終了してからピッキング作業が開始されるまでの平均的な所要時間である平均前作業時間の分、指定された作業時間帯から遡った時間帯に終了する手術のオーダ情報を、医療情報管理サーバ２０から取得する。取扱器材リスト取得部１１２は、指定された作業時間帯から平均前作業時間遡った時間帯の前後に前述の所定の時間幅を加えた時間帯に終了する手術のオーダ情報を、医療情報管理サーバ２０から取得してもよい。
取扱器材リスト取得部１１２は、取得したオーダ情報に含まれる手術に使用される医療器材セットを取扱医療器材セットとする。
【００５９】
取扱器材リスト取得部１１２は、指定された取扱医療器材セットの識別子にもとづいて、図２に示したセット器材記憶部１０８に格納されるセット医療器材テーブル４００の医療器材セット識別子欄４０２を検索する。そして、取扱器材リスト取得部１１２は、取扱医療器材セットに含まれる取扱医療器材のリストを取得し、類似リスト作成部１２０および画面生成部１３２に受け渡す。画面生成部１３２は、取得したリストにもとづいて、器材属性記憶部１０２に格納される医療器材属性テーブル３００からその医療器材の情報を抽出し、ユーザに、取扱対象である医療器材の一覧を提示するための画面（以下、「取扱医療器材一覧画面」ともいう）のデータを生成する。
【００６０】
図６は、取扱医療器材一覧画面７００の例を示す図である。取扱医療器材一覧画面７００には、取扱対象医療器材セットのうちの一のセットについて、そのセットに含まれる医療器材のリストが各医療器材の画像や寸法などの属性とともに表示される。
取扱対象医療器材セットが複数ある場合には、画面生成部１３２は、それぞれの取扱対象医療器材セットについての取扱医療器材一覧画面を作成し、切り替え表示可能としてもよい。
【００６１】
なお、画面生成部１３２は、表示する各医療器材の画像の寸法の比が、器材属性記憶部１０２から読み取った実際の寸法の比を反映するように取扱医療器材一覧画面７００のデータを生成してもよい。
これにより、ユーザに、ピッキングすべき医療器材の全体構成について直感的に概観しやすい画面を提示することができる。
【００６２】
画面生成部１３２はまた、複数の取扱対象医療器材の画像を、医療器材の寸法の順に画面に並べて取扱医療器材一覧画面７００を生成してもよい。
例えば図６の取扱医療器材一覧画面７００においては一番下に表示されている「眼科用剪刀」を、「ペアン曲」と「ペアン小曲」との間に配置して、取扱医療器材一覧画面７００において寸法の大きい医療器材が上に位置するように配置して画面を生成してもよい。
これにより、例えば作業者が大きい医療器材から先にピッキングするような場合に、ピッキング作業を効率よく進めるための画面を提示することができる。
【００６３】
ユーザは、取扱医療器材一覧画面を見て、ピッキングすべき医療器材を確認し、医療器材をピッキングしたときに、その医療器材がピッキング済みであることを登録するために、画面上でその医療器材を指定して入力する。以下、ユーザがピッキング済みであることを登録するために、画面上で指定して入力した医療器材を「指定医療器材」ともいう。
例えば、ユーザが取扱医療器材一覧画面７００のリストの先頭にある「ペアン直」をピッキングしたとき、ユーザは、取扱医療器材一覧画面７００に表示された「ペアン直」を選択入力する。例えば、図６の画面においてマウスやタッチペン等で「ペアン直」の残数／必要数を示すボタンを指し示すことにより選択入力可能であってもよい。指示受付部１１４は、ユーザの選択入力を受け付け、類似リスト作成部１２０に類似リスト作成指示を受け渡す。
【００６４】
図１に戻る。
医療器材準備支援装置１００の類似リスト作成部１２０は、類似器材取得部１２２と、類似器材限定部１２４とを含む。
類似器材取得部１２２は、類似器材記憶部１０４を参照して、指定された医療器材に類似する医療器材のうち、取扱医療器材に含まれる医療器材（以下、「類似取扱医療器材」ともいう）の医療器材識別子を取得し、取扱器材記憶部１０６に格納する。
【００６５】
類似器材取得部１２２は、あらかじめ取扱器材リストに含まれる各医療器材について類似器材記憶部１０４から類似取扱医療器材の識別子を取得し、取扱器材記憶部１０６に格納しておいてもよい。この場合、類似器材取得部１２２は、ユーザが取扱医療器材の一つを選択入力した際、取扱器材記憶部１０６を参照して、格納しておいた類似取扱医療器材の医療器材識別子を取得してもよい。
【００６６】
あるいは、類似器材取得部１２２は、ユーザが取扱医療器材一覧画面７００において取扱医療器材の一つを指定した際に、類似器材記憶部１０４を参照して、類似取扱医療器材の識別子を取得してもよい。
【００６７】
取扱医療器材セットが複数ある場合、類似器材取得部１２２は、類似する医療器材のうち同じセットに含まれるセット内類似医療器材と、類似する医療器材のうち同じセットに含まれないが、取扱医療器材に含まれるセット外類似医療器材とを、区別して類似取扱医療器材の医療器材識別子を取得する。
【００６８】
例えば、類似器材取得部１２２が、Ａセットに含まれる「ペアン直」について類似取扱医療器材の医療器材識別子を取得する場合、類似器材取得部１２２はまず、図３に示される類似医療器材テーブル５００の類似医療器材識別子欄５０４において、「ペアン直」の医療器材識別子「ＰＥ０」を検索する。
そして、「ペアン直」に類似する医療器材の識別子として、類似医療器材グループ識別子「ａａａ」の類似グループに属する医療器材識別子「ＰＥ１」と「ＰＥ２」、および、類似医療器材グループ識別子「ｃｃｃ」の類似グループに属する医療器材識別子「ＫＯ０」と「ＫＥ０」を取得する。
ここで、「ＰＥ１」、「ＰＥ２」、「ＫＯ０」、「ＫＥ０」は、それぞれ「ペアン小曲」、「ペアン曲」、「コッヘル直」、「ケリー直」の医療器材識別子である。
【００６９】
類似器材取得部１２２は、取扱器材リスト取得部１１２が取得した取扱医療器材のリストを参照し、「ペアン小曲」と「ペアン曲」は、Ａセットに含まれ、「コッヘル直」と「ケリー直」は、Ｂセットに含まれる医療器材であると判定する。
したがって、類似器材取得部１２２は、Ａセットの「ペアン直」のセット内類似医療器材は、医療器材識別子がそれぞれ「ＰＥ１」および「ＰＥ２」である「ペアン小曲」と「ペアン曲」であると判定し、取扱医療器材テーブル６００のセット内類似医療器材識別子欄６１０に記述する。また、類似器材取得部１２２は、「ペアン直」のセット外類似医療器材が、医療器材識別子がそれぞれ「ＫＥ０」および「ＫＯ０」である「コッヘル直」と「ケリー直」であることを判定し、セット外類似医療器材識別子欄６１２に記述する。
【００７０】
なお、リプロセス作業において、医療器材を完全にセットごとに分けて取り扱う場合など、セット外類似医療器材を考慮する必要のない場合には、類似器材取得部１２２はセット内類似医療器材の医療器材識別子のみ取得することとしてもよい。
【００７１】
類似器材限定部１２４は、類似器材取得部１２２が取得した類似取扱医療器材の医療器材識別子のうち、すでにピッキング済の医療器材の識別子を除外して、類似器材一覧画面に表示する表示対象類似医療器材リストを作成する。具体的には、類似器材限定部１２４は、まず、取扱器材記憶部１０６に格納される取扱医療器材テーブル６００の医療器材識別子欄６０４において、類似取扱医療器材の医療器材識別子を検索する。そして、検索した類似取扱医療器材の医療器材識別子のの準備状況欄６１４を参照して、準備状況が「済」となっている医療器材については除いて表示対象類似医療器材リストを作成し、画面生成部１３２に受け渡す。
【００７２】
例えば、図５の例においては、Ａセットの医療器材識別子が「ＰＥ０」である「ペアン直」のセット外類似医療器材として、医療器材識別子が「ＫＯ０」と「ＫＥ０」である「コッヘル直」と「ケリー直」が記述されている。これらのうち、医療器材識別子が「ＫＯ０」である「コッヘル直」の準備状況は、「済」である。したがって、類似器材取得部１２２は、「ＫＯ０」を、Ａセットの「ペアン直」にかかる類似取扱医療器材のリストから外して、画面生成部１３２に表示対象類似医療器材リストを受け渡す。
すでにピッキング済であるため、別の医療器材と取り違えられるはずのない医療器材をあらかじめ注意表示の対象から外すことにより、不要な情報を排除して容易に把握しやすいシンプルな画面をユーザに提示することができる。
【００７３】
画面生成部１３２は、類似リスト作成部１２０から受け取った表示対象類似医療器材のリストにもとづいて、表示対象類似医療器材それぞれの属性情報を器材属性記憶部１０２から読み出す。
そして、画面生成部１３２は、ユーザが入力して指示受付部１１４が指定入力を受け付けた指定医療器材の画像と、その指定医療器材と類似する医療器材のうち、取り違えの可能性がある医療器材の画像とを並べて表示する類似器材一覧画面を生成する。
【００７４】
図７は、画面生成部１３２が生成し、表示部４０に表示される類似器材一覧画面７１０の例を示す図である。
類似器材一覧画面７１０には、「ペアン直］に類似する医療器材として、「ケリー直」、「ペアン曲」、「ペアン小曲」の三種類の医療器材の画像が、これらの医療器材の寸法と共に表示される。
【００７５】
画面生成部１３２は、類似器材一覧画面７１０に表示される各医療器材の画像の寸法の比が、実際の寸法の比を反映するように類似器材一覧画面を生成する。
例えば、各器材の画像の寸法の比が、それぞれの医療器材の実際の寸法の比と等しくなるように、画像の表示サイズを決定する。
これにより、ユーザが、直感的にわかりやすい形で、ピッキングすべき医療器材と、類似取扱医療器材とを比較して提示することができる。
【００７６】
また、各器材の画像の寸法の比が、それぞれの医療器材の実際の寸法の対数の比と等しくなるように、表示させる画像の表示サイズを決定してもよい。
これにより、医療器材の寸法の比が極端に異なる医療器材が混在しているような場合であっても、各医療器材の画像を見やすい大きさで表示させながら、寸法の差を直感的に把握しやすい形で提示することができる。
【００７７】
画面生成部１３２は、また、類似取扱医療器材の画像を、その寸法の順に画面に並べて表示させるように、類似器材一覧画面７１０を作成してもよい。
例えば、図７では、三種類の類似取扱医療器材「ケリー直」、「ペアン曲」、「ペアン小曲」が、寸法が大きいものほど上に表示されるように配置された例を示している。
これにより、ユーザが、類似取扱医療器材と取り違えていないか確認する際に、まずは大きさで絞り込むことが可能な形式で類似取扱医療器材のリストを提示することができる。
【００７８】
類似器材一覧画面７１０において、ユーザがその医療器材をピッキングしたことを確認する入力を行うと、指示受付部１１４が受け付けて、ステータス更新部１１６に受け渡し、ステータス更新部１１６は、取扱医療器材テーブル６００の準備済数欄６０８および準備状況欄６１４を更新する。
例えば、類似器材一覧画面７１０において、ユーザは、この画面でピッキングした医療器材が確かに「ペアン直」であって、類似取扱器材でないことを確認すると、「ＯＫ」ボタンを押す。そうすると、「ペアン直」が一つピッキングされたことが登録される。
【００７９】
なお、類似器材一覧画面７１０はさらに、ユーザが複数個の同種の医療器材をピッキングした際にその個数を入力可能なピッキング数入力欄（図示せず）を備えてもよい。
この場合、ユーザが、ピッキングした医療器材の個数をピッキング数入力欄に入力すると、指示受付部１１４が入力を受け付けて、ステータス更新部１１６に受け渡し、ステータス更新部１１６は、準備済数欄６０８および準備状況欄６１４を更新する。
これにより、同じ医療器材を複数個同時にピッキングしたときなどに、確認作業をピッキングした医療器材の数の分だけ繰り返す必要がなくなり、効率よくピッキング作業を進めることができる。
【００８０】
図８は、画面生成部１３２が生成し、表示部４０に表示される類似器材一覧画面の別の例を示す図である。
図８の例では、ユーザがピッキングして登録すべく指定した指定医療器材である「ペアン直」の画像も、類似取扱医療器材の画像と共に、その寸法の順に画面に並べられて表示されている。そして、指定医療器材である「ペアン直」の画像は、類似取扱医療器材の画像と区別可能であるように太枠で囲まれて強調表示されている。
【００８１】
このように、画面生成部１３２は、類似取扱医療器材の画像を、その寸法の順に画面に並べる際に、指定医療器材の画像も類似取扱医療器材の画像と同様に寸法の順に配置して類似器材一覧画面７２０を生成してもよい。この際、指定医療器材の画像は、類似取扱医療器材よりも目立つように背景色を変えたり、点滅させたり、枠で囲むなどして、類似取扱医療器材の画像と区別可能な態様で強調して表示させてもよい。
これにより、ユーザが、類似取扱医療器材と取り違えていないか確認する際に、まずは大きさで絞り込むことが可能な形式で類似取扱医療器材のリストを提示することができる。
【００８２】
図９は、画面生成部１３２が生成し、表示部４０に表示される類似器材一覧画面のさらに別の例を示す図である。
図９の例では、ユーザがピッキングして登録すべく指定した指定医療器材である「ペアン直」の画像が先頭に表示され、各類似取扱医療器材の画像は、その寸法が、指定医療器材の寸法に近いものほど、指定医療器材の画像の近くに配置されるように表示されている。
【００８３】
このように、画面生成部１３２は、指定医療器材に類似する医療器材が複数ある場合に、類似取扱医療器材の画像を、その寸法が指定医療器材の寸法に近いものほど、指定医療器材の画像の近くに表示されるように並べて類似器材一覧画面７３０を生成してもよい。
これにより、ユーザが、類似取扱医療器材と取り違えていないか確認する際に、寸法が指定医療器材に近い医療器材について特に注目して指定医療器材と比較することが可能な形で類似取扱医療器材のリストを提示することができる。
【００８４】
図１０は、画面生成部１３２が生成し、表示部４０に表示される類似器材一覧画面のさらに別の例を示す図である。
図１０の例では、表示対象となる類似取扱医療器材のうち、「ペアン直」と同じＡセットに含まれるセット内取扱医療器材である「ペアン曲」と「ペアン小曲」の表示に、指定医療器材と同じＡセットに含まれる医療器材であることを示すマークが付されて表示されている。
【００８５】
このように、画面生成部１３２は、セット内類似取扱医療器材について、マークを付したり、背景色を変えたり、枠で囲むなどしてセット内類似取扱医療器材と区別できる態様で表示させてもよい。
これにより、仮にユーザが指定医療器材と取り違えてセット内類似取扱医療器材の一つをピッキングしたような場合、取り違えではあっても、いずれピッキングすべき医療器材であるとの情報を提示することができる。したがって、ユーザは、その場で、取り違えた医療器材をピッキング済みの医療器材として登録することも可能であり、効率よくピッキング作業を行うことができる。
【００８６】
図１１は、医療器材について詳細情報を表示する医療器材詳細情報画面８００の例を示す図である。
医療器材詳細情報画面８００は、例えば図６に示す取扱医療器材一覧画面７００や、図７から図１０に示す類似器材一覧画面において、ユーザが指定医療器材、または、類似取扱医療器材の一つをクリックするなどして、詳細情報を表示させるよう指示した際に画面生成部１３２により生成される。
【００８７】
図１１の例では、ユーザが、例えばＢセットの取扱医療器材一覧画面や類似器材一覧画面(図示せず)に一覧表示される医療器材の画像のうちから、「コッヘル直」を選択して、詳細を表示するよう指示した際に表示される医療器材詳細情報画面８００の例を示している。詳細表示の指示入力は、例えば、取扱医療器材一覧画面や類似器材一覧画面において、その医療器材の画像や名称を指し示してクリック等の操作をすることによって入力可能とされてもよい。
医療器材詳細情報画面８００は、医療器材拡大画像８０２と、医療器材特徴画像８０４ａおよび８０４ｂとを含む。
【００８８】
医療器材拡大画像８０２には、ユーザが詳細表示するよう指示した医療器材である「コッヘル直」の画像が、一覧表示における「コッヘル直」の画像よりも大きく表示される。
医療器材特徴画像８０４ａおよび８０４ｂには、指定された医療器材である「コッヘル直」を見分けるポイントとなる特徴部分の画像が大きく、強調表示される。
これにより、特に新人の作業者などが医療器材準備支援装置１００を使用する場合に、医療器材に関する知識に不安な点があっても、その場で詳細な情報を確認するための画面を提示することができるため、知識不足による取り違えを防止することができる。また、初心者であっても効率よくピッキング作業をし、実地で仕事をしながら各医療器材の特徴および名称を学ぶための支援をすることができる。
【００８９】
以上の構成による動作は以下のとおりである。
図１２は、本実施形態にかかる医療器材準備支援装置１００において、類似取扱医療器材のリストを取得する処理の手順を示すフローチャートである。
【００９０】
まず、ユーザが操作部３０を介して、医療器材セットや作業時間を指定して類似取扱医療器材リスト作成指示を入力すると、指示受付部１１４が受け付ける（Ｓ１０）。作業時間が指定された場合には、取扱器材リスト取得部１１２は、指定された作業時間帯から平均前作業時間分遡った時間帯に終了する医療行為のオーダ情報を医療情報管理サーバ２０から取得する（Ｓ１２）。そして各オーダについて（Ｓ１４からＳ１８）、オーダ情報から使用する医療器材の医療器材セット識別子を読み取る。取扱器材リスト取得部１１２は、取得した各医療器材セットについて、その医療器材セットに含まれる医療器材の医療器材識別子のリストをセット器材記憶部１０８から取得し（Ｓ１６）、類似リスト作成部１２０に受け渡す。
【００９１】
類似器材取得部１２２は、取得した各医療器材識別子について（Ｓ２０）、その医療器材に類似する医療器材のうち、取扱医療器材に含まれる類似医療器材の医療器材識別子を取得する（Ｓ２２）。全ての取扱医療器材について（Ｓ２４）、類似取扱医療器材の医療器材識別子を取得すると、類似取扱医療器材のリスト取得処理は終了する。
【００９２】
図１３は、本実施形態にかかる医療器材準備支援装置１００において、ユーザの医療器材ピッキング作業を支援する処理の手順を示すフローチャートである。
【００９３】
まず、画面生成部１３２は、取扱医療器材一覧画面７００を作成して、ユーザが作業しようとする医療器材のセットにふくまれる医療器材のリストをユーザに提示する（Ｓ３０）。ユーザが、リストに含まれる医療器材の一つであると判断した医療器材をピッキングして、取扱医療器材一覧画面７００において、その医療器材を指定して入力すると、指示受付部１１４が入力を受け付ける（Ｓ３２）。
類似器材取得部１２２は、ユーザが指定した医療器材に類似する類似取扱医療器材のリストを取得し（Ｓ３４）、類似器材限定部１２４は、すでにピッキング済みの医療器材を類似取扱医療器材のリストから除いて（Ｓ３６）、画面生成部１３２に表示対象類似医療器材のリストを受け渡す。
【００９４】
画面生成部１３２は、類似器材一覧画面を生成して表示部４０に表示する（Ｓ３８）。類似器材一覧画面において、ユーザが「ＯＫ」ボタンをクリックして確認入力をすると（Ｓ４０のＹ）、ステータス更新部１１６は、その医療器材がピックアップされたものとして、その医療器材の準備済数や準備状況などのステータス情報を更新する（Ｓ４２）。一方、ユーザが「戻る」ボタンをクリックした場合（Ｓ４０のＮ）、表示部４０は、取扱医療器材一覧画面７００に表示を切り替える。
【００９５】
作業中の医療器材セットに含まれるすべての医療器材のピッキングが完了するまで（Ｓ４４のＮ）以上の処理が繰り返される。取扱医療器材一覧画面７００において、作業中の医療器材セットに含まれるすべての医療器材をピッキングしたことが登録されると（Ｓ４４のＹ）、その医療器材セットについてのピッキング支援処理は終了する。
【００９６】
なお、図１２のフローチャートにおいては、あらかじめ類似取扱医療器材のリストを取得しておく場合の処理を示しているが、前述のように、類似器材取得部１２２は、ユーザが医療器材をピッキングして選択入力をしたときに、その医療器材について類似取扱医療器材のリストを取得してもよい。
【００９７】
以上、本発明を実施形態にもとづいて説明した。本発明は上述の実施形態に限定されるものではなく、実施形態の各要素を適宜組み合わせたものも、本発明の実施形態として有効である。実施形態の組合せによって生じる新たな実施の形態は、組み合わされる実施の形態それぞれの効果をあわせもつ。
また、当業者の知識に基づいて各種の設計変更等の変形を実施形態に対して加えることも可能であり、そのような変形が加えられた実施形態も本発明の範囲に含まれうる。
【００９８】
また、実施形態においては、リユース可能医療器材のリプロセス作業におけるピッキングの例について説明したが、本発明はこれに限定されるものではない。本発明にかかる医療器材準備支援装置は、物品にその名称がタグや包装などの形で付されていない状態で、特定の物品をピッキングする作業を支援するために適用可能である。例えば、本発明にかかる装置は、手術室にて手術前に必要な医療器材が揃っているか確認する作業や、手術後に使用済み医療器材を返却する際の確認作業等を支援するための装置にも適用することができる。
【産業上の利用可能性】
【００９９】
以上のように本発明は、医療器材の準備作業を支援する医療器材準備支援装置に利用可能である。
【符号の説明】
【０１００】
１００  医療器材準備支援装置、  １０２  器材属性記憶部、  １０４  類似器材記憶部、  １０６  取扱器材記憶部、  １１２  取扱器材リスト取得部、  １１４  指示受付部、  １２２  類似器材取得部、  １２４  類似器材限定部、  １３２  画面生成部、  ７１０  類似器材一覧画面。
【図１】
2012215990.tif 000003
【図２】
2012215990.tif 000004
【図３】
2012215990.tif 000005
【図４】
2012215990.tif 000006
【図５】
2012215990.tif 000007
【図６】
2012215990.tif 000008
【図７】
2012215990.tif 000009
【図８】
2012215990.tif 000010
【図９】
2012215990.tif 000011
【図１０】
2012215990.tif 000012
【図１１】
2012215990.tif 000013
【図１２】
2012215990.tif 000014
【図１３】
2012215990.tif 000015